(57)【要約】      （修正有）【課題】無線端末が、良好な品質を確保し、フィールドで品質問題が発生しても迅速な対処が可能とする。【解決手段】無線端末試験システムは、端末管理センターサーバと無線通信端末１が無線通信することにより無線通信端末１の品質を試験する。無線通信端末１は、端末管理センターサーバと通信し、自身の内部動作を診断するためのプログラムを端末管理センターサーバに要求し、要求に応じた管理センターサーバからのプログラムを受け付けて格納し、内部動作に関するデータを検出し、プログラムを実行し、上記データを診断して診断結果を作成し、上記データ及び診断結果を端末管理センターサーバに送信する。端末管理センターサーバは、上記の診断結果の合否を判定し、上記診断結果が不合格であった場合、不合格通知を無線通信端末１に送信する。【選択図】図１
2009017049.tif 000002
【特許請求の範囲】
【請求項１】
ネットワークを介して管理サーバと無線通信する無線端末であって、
前記管理サーバと通信する通信手段と、
前記管理サーバに対し、自身の内部動作を診断するためのプログラムを要求する要求手段と、
前記要求手段の要求に応じて前記管理サーバから前記プログラムを受け付ける受付手段と、
前記内部動作に関するデータを検出する検出手段と、
前記プログラムを実行し、前記データを診断して診断結果を作成する診断手段と、
前記データ及び前記診断結果を前記管理サーバに送信する送信手段と、
を有することを特徴とする無線端末。
【請求項２】
請求項１記載の無線端末において、
前記通信手段は、第一のネットワークを介して通信サーバと通信すると同時に、第二のネットワークと並列的に接続し、前記第二のネットワークを介して前記管理サーバと通信し、
前記検出手段は、前記通信サーバと通信時の内部動作に関するデータを検出することを特徴とする無線端末。
【請求項３】
請求項１または２に記載の無線端末において、
前記通信手段は、前記管理サーバから前記診断結果が不合格であったことを通知する不合格通知を受け付けることを特徴とする無線端末。
【請求項４】
請求項１乃至３いずれかに記載の無線端末において、
前記通信手段は、前記診断結果が不合格でなかった場合、前記管理サーバから前記無線通信の規格を更新するためのプログラムを受け付けることを特徴とする無線端末。
【請求項５】
請求項１乃至４いずれかに記載の無線端末において、
前記通信手段が前記通信サーバと通信する時の自身の位置情報を受信する受信手段をさらに有し、
前記検出手段は、検出された前記データと前記位置情報とを対応付けて格納することを特徴とする無線端末。
【請求項６】
ネットワークを介して管理サーバと無線通信する無線端末の品質を試験する無線端末試験方法であって、
前記管理サーバに対し、自身の内部動作を診断するためのプログラムを要求するステップと、
前記要求に応じて前記管理サーバから前記プログラムを受け付けるステップと、
前記内部動作に関するデータを検出するステップと、
前記プログラムを実行し、前記データを診断して診断結果を作成するステップと、
前記データ及び前記診断結果を前記管理サーバに送信するステップと、
を含むことを特徴とする無線端末試験方法。
【請求項７】
ネットワーク上の管理サーバと無線端末が無線通信することにより無線端末の品質を試験する無線端末試験システムであって、
前記無線端末は、
前記管理サーバと通信する通信手段と、
自身の内部動作を診断するためのプログラムを前記管理サーバに要求する要求手段と、
前記要求手段の要求に応じて前記管理サーバから前記プログラムを受け付ける受付手段と、
前記内部動作に関するデータを検出する検出手段と、
前記プログラムを実行し、前記データを診断して診断結果を作成する診断手段と、
前記データ及び前記診断結果を前記管理サーバに送信する送信手段と、
を有し、
前記管理サーバは、
前記診断結果の合否を判定し、前記診断結果が不合格であった場合、不合格通知を前記無線端末に送信することを特徴とする無線端末試験システム。
【請求項８】
無線端末の品質を試験するための無線端末試験用プログラムであって、
ネットワークを介して管理サーバと無線通信する手段を有する無線端末に、
前記管理サーバに対し、自身の内部動作を診断するための診断プログラムを要求させる処理と、
前記要求に応じて前記管理サーバから前記診断プログラムを受け付けさせる処理と、
前記内部動作に関するデータを検出する処理と、
前記診断プログラムを実行し、前記データを診断して診断結果を作成する処理と、
前記データ及び前記診断結果を前記管理サーバに送信させる処理と、
を実現させることを特徴とする無線端末試験用プログラム。
【発明の詳細な説明】
【技術分野】
【０００１】
本発明は、サーバと無線通信する無線端末に関する。
【背景技術】
【０００２】
近年、無線通信技術の進展により、新しい方式の無線通信規格を搭載した無線端末の開発が推進されている。現存する無線端末のほとんどは、無線通信規格（無線通信方式）毎に専用の無線通信処理回路(ハードウェア)を搭載している。マーケットからのユビキタスやシームレスなモバイル環境のニーズに応じ、複数の無線通信規格に対応させた無線端末が提供されている。このような無線端末として、例えば、特許文献１に記載された無線端末が挙げられる。
【特許文献１】特開２００５−７１３２４号公報
【発明の開示】
【発明が解決しようとする課題】
【０００３】
しかしながら、従来の無線端末には、コストや容積・重量が増大する問題があった。
【０００４】
解決策として、汎用的なハードウェアを用いて無線通信信号処理回路を共通化し、異なる無線通信方式の機能はファームウェアをソフトウェアで記述し、それを変更させることで、無線チャネルの帯域幅・周波数、送信電力（制御）、多元接続方式、複信方式、変調方式、誤り訂正方式、ＭＩＭＯ（Ｍｕｌｔｉｐｌｅ  Ｉｎｐｕｔ  Ｍｕｌｔｉｐｌｅ  Ｏｕｔｐｕｔ）方式などを柔軟に対応させるソフトウェア無線：ＳＤＲ（Ｓｏｆｔｗａｒｅ  Ｄｅｆｉｎｅｄ  Ｒａｄｉｏ）技術の実用化研究が促進されている。
【０００５】
一方、現状の法規制は、技術基準適合証明または免許の取得後の追加は変更の手続きを取る必要があり、ソフトウェア無線技術の利便性を損なわない為には、既存の無線端末の無線通信規格の変更をソフトウェア無線のファームウェアのソフトウェアの変更が適応できる規制緩和が必要である。
【０００６】
しかし、規制緩和の条件として、ソフトウェア無線技術を適応した無線端末は、フィールドで品質問題を発生させない良好な品質の確保、および、仮に、フィールドで品質問題が発生しても即座に問題解決が図れる方法やしくみが望まれる。
【０００７】
本発明は、無線技術を適応した無線端末が、良好な品質を確保し、フィールドで品質問題が発生しても迅速に問題解決を図ることを可能とする。
【課題を解決するための手段】
【０００８】
本発明によれば、
ネットワークを介して管理サーバと無線通信する無線端末であって、
管理サーバと通信する通信手段と、
管理サーバに対し、自身の内部動作を診断するためのプログラムを要求する要求手段と、
要求手段の要求に応じて管理サーバからプログラムを受け付ける受付手段と、
内部動作に関するデータを検出する検出手段と、
プログラムを実行し、データを診断して診断結果を作成する診断手段と、
データ及び診断結果を管理サーバに送信する送信手段と、
を有することを特徴とする無線端末
が提供される。
【０００９】
この発明によれば、ネットワークを介して管理サーバと通信し、自身の内部動作の診断に関するプログラムを受け付けることができる。これにより、自身の内部動作を診断し、診断結果を管理サーバに送信することができる。したがって、ネットワークを利用して無線端末の品質管理を行うことが可能となる。
【００１０】
本発明の無線端末において、通信手段は、第一のネットワークを介して通信サーバと通信すると同時に、第二のネットワークと並列的に接続し、第二のネットワークを介して管理サーバと通信し、検出手段は、通信サーバと通信時の内部動作に関するデータを検出する構成を採用することができる。
【００１１】
これにより、第一のネットワークの接続時に第二のネットワークを介して管理サーバと接続することができる。したがって、第一のネットワークの通信に影響を受けないで、プログラムを受付けることができる。また、データ及び診断結果をスムーズに送信することができる。よって、通常の動作を行いつつ、内部動作の良好な品質を確保することができる。
【００１２】
また、本発明によれば、
ネットワークを介して管理サーバと無線通信する無線端末の品質を試験する無線端末試験方法であって、
管理サーバに対し、自身の内部動作を診断するためのプログラムを要求するステップと、
要求に応じて管理サーバからプログラムを受け付けるステップと、
内部動作に関するデータを検出するステップと、
プログラムを実行し、データを診断して診断結果を作成するステップと、
データ及び診断結果を管理サーバに送信するステップと、
を含むことを特徴とする無線端末試験方法
が提供される。
【００１３】
また、本発明によれば、
ネットワーク上の管理サーバと無線端末が無線通信することにより無線端末の品質を試験する無線端末試験システムであって、
上記無線端末は、
管理サーバと通信する通信手段と、
自身の内部動作を診断するためのプログラムを管理サーバに要求する要求手段と、
要求手段の要求に応じて管理サーバからプログラムを受け付ける受付手段と、
内部動作に関するデータを検出する検出手段と、
プログラムを実行し、データを診断して診断結果を作成する診断手段と、
データ及び診断結果を管理サーバに送信する送信手段と、
を有し、
上記管理サーバは、
診断結果の合否を判定し、診断結果が不合格であった場合、不合格通知を無線端末に送信することを特徴とする無線端末試験システム
が提供される。
【００１４】
また、本発明によれば、
無線端末の品質を試験するための無線端末試験用プログラムであって、
ネットワークを介して管理サーバと無線通信する手段を有する無線端末に、
管理サーバに対し、自身の内部動作を診断するための診断プログラムを要求させる処理と、
要求に応じて管理サーバから診断プログラムを受け付けさせる処理と、
内部動作に関するデータを検出する処理と、
診断プログラムを実行し、データを診断して診断結果を作成する処理と、
データ及び診断結果を管理サーバに送信させる処理と、
を実現させることを特徴とする無線端末試験用プログラム
が提供される。
【００１５】
この発明によれば、ネットワークを介して管理サーバと通信し、自身の内部動作の診断に関するプログラムを受け付けることができる。これにより、自身の内部動作を診断し、診断結果を管理サーバに送信することができる。また、無線端末は、診断結果の合否を管理サーバから受信することにより、自身の品質に問題があることを知ることができ、即座に問題解決を図ることが可能となる。
【発明の効果】
【００１６】
本発明によれば、ネットワークを介して無線端末の良好な品質を確保することができる。
【発明を実施するための最良の形態】
【００１７】
以下、本発明の実施の形態について、図面を用いて説明する。尚、すべての図面において、同様な構成要素には同様の符号を付し、適宜説明を省略する。
【００１８】
図１は、本実施形態の無線通信端末１の構成図を示す。図２は、本実施形態の無線端末試験システムの構成図を示す。
本実施形態は、第二の通信事業者のネットワーク５上の端末管理センターサーバ２０１と無線通信端末１が無線通信することにより無線通信端末１の品質を試験する無線端末試験システムである。無線通信端末１は、端末管理センターサーバ２０１と通信し、自身の内部動作を診断するためのプログラムを端末管理センターサーバ２０１に要求する第二の無線通信手段１０５と、第二の無線通信手段１０５の要求に応じて端末管理センターサーバ２０１から上記のプログラムを受け付ける各種診断プログラム格納メモリ１０２５と、内部動作に関するデータを検出する検出手段と、プログラムを実行し、上記データを診断して診断結果を作成する診断手段と、を有する。第二の無線通信手段１０５は、上記データ及び診断結果を端末管理センターサーバ２０１に送信する。端末管理センターサーバ２０１は、上記の診断結果の合否を判定し、上記診断結果が不合格であった場合、不合格通知を無線通信端末１に送信する。
【００１９】
内部動作を診断するためのプログラム（診断プログラム）とは、具体的には、ハードウェア故障診断プログラム、アナログ回路経年変化診断プログラム、無線特性解析診断プログラム、通信プロトコル解析診断プログラム、オンラインログ解析プログラム、オフラインログ解析プログラム及びソフトウェア動作解析診断プログラムである。
【００２０】
内部動作に関するデータとは、具体的には、ハードウェア故障検出データ、アナログ回路経年変化検出データ、無線特性、通信プロトコル異常検出データ及びソフトウェア動作異常検出データをいう。
【００２１】
また、検出手段とは、具体的には、ハードウェア故障検出１００１、アナログ回路経年変化検出１００５、無線特性測定１００９、通信プロトコル異常検出１０１３及びソフトウェア動作異常検出１０１７をいう。
ハードウェア故障検出１００１は、ハードウェア故障検出データを検出する。アナログ回路経年変化検出１００５は、アナログ回路経年変化検出データを検出する。無線特性測定１００９は、無線特性を測定する。通信プロトコル異常検出１０１３は、通信プロトコル異常検出データを検出する。ソフトウェア動作異常検出１０１７は、ソフトウェア動作異常検出データを検出する。
【００２２】
また、診断手段とは、具体的には、ハードウェア故障診断１００３、アナログ回路経年変化診断１００７、無線特性解析診断１０１１、通信プロトコル解析診断１０１５、採取ログバッファメモリ１０３５及びソフトウェア動作解析診断１０１９をいう。
ハードウェア故障診断１００３は、ハードウェア故障診断プログラムを実行し、ハードウェア故障検出データを診断して診断結果を作成する。アナログ回路経年変化診断１００７は、アナログ回路経年変化診断プログラムを実行し、アナログ回路経年変化検出データを診断して診断結果を作成する。無線特性解析診断１０１１は、無線特性解析診断プログラムを実行し、無線特性を診断して診断結果を作成する。通信プロトコル解析診断１０１５は、通信プロトコル解析診断プログラムを実行し、通信プロトコル異常検出データを診断して診断結果を作成する。採取ログバッファメモリ１０３５は、オンラインログ解析プログラムを実行し、採取ログデータを診断して診断結果を作成する。ソフトウェア動作解析診断１０１９は、ソフトウェア動作解析診断プログラムを実行し、ソフトウェア動作異常検出データを診断して診断結果を作成する。
【００２３】
第一の無線通信手段１０３は、第一の通信事業者のコアネットワーク３を介して通信サーバ（図示せず）と通信すると同時に、第二の無線通信手段１０５は、第二の通信事業者のネットワーク５に接続し、第二の通信事業者のネットワーク５を介して端末管理センターサーバ２０１と通信することができる。無線特性測定１００９は、通信サーバと通信時の無線特性を測定することができる。また、通信プロトコル異常検出１０１３は、通信サーバと通信時の通信プロトコル異常検出データを検出することができる。また、ソフトウェア動作異常検出１０１７は、通信サーバと通信時のソフトウェア動作異常検出データを検出することができる。
【００２４】
第二の無線通信手段１０５は、端末管理センターサーバ２０１から診断結果が不合格であったことを通知する不合格通知を受け付けることができる。受け付けた不合格通知は、たとえば、無線通信端末１の表示部（図示せず）に表示させることにより、ユーザは、無線通信端末１の診断結果を知ることができる。
【００２５】
また、第二の無線通信手段１０５は、診断結果が不合格でなかった場合、端末管理センターサーバ２０１から無線通信の規格を更新するためのソフトウェア無線のファームウェアを受け付けることもできる。
【００２６】
無線通信端末１は、第一の無線通信手段１０３が通信サーバと通信する時の自身の位置情報を受信するＧＰＳ受信手段１０９をさらに有することができる。通信プロトコル解析診断１０１５は、検出された通信プロトコル異常のデータと位置情報とを対応付けて格納することができる。また、採取ログバッファメモリ１０３５は、採取ログを位置情報とを対応付けて格納することができる。また、ソフトウェア動作解析診断１０１９は、ソフトウェア動作異常のデータと位置情報とを対応付けて格納することができる。
【００２７】
無線通信端末１は、第一の通信事業者のコアネットワーク３へのアクセス機能、第二の通信事業者のネットワーク５へのアクセス機能及び第四の通信事業者のネットワーク８へのアクセス機能を具備している。第一の通信事業者のコアネットワーク３へのアクセスは第一の通信事業者の無線通信基地局２を経由し、第二の通信事業者のネットワーク５へのアクセスは、第二の通信事業者の無線通信基地局４を経由し、第四の通信事業者のネットワーク８へのアクセスはメディアコンバータ７を経由する。メディアコンバータ７は無線通信端末１が備える外部インタフェース１０１から第三の通信事業者のローカルアクセスネットワーク６へアクセスする為に必要な変換機能を有する。
【００２８】
無線通信端末１が備える外部インタフェース１０１としては、ＵＳＢ（Ｕｎｉｖｅｒｓａｌ  Ｓｅｒｉａｌ  Ｂｕｓ）、Ｗｉｒｅｌｅｓｓ  ＵＳＢ、構内無線ＬＡＮ（Ｌｏｃａｌ  Ａｒｅａ  Ｎｅｔｗｏｒｋ）（ＩＥＥＥ８０２．１１）、ＵＷＢ（Ｕｌｔｒａ  Ｗｉｄｅ  Ｂａｎｄ）（ＩＥＥＥ８０２．１５）などを用いる。
【００２９】
第一の通信事業者のコアネットワーク３としては、携帯電話などの移動体通信ネットワーク、第二の通信事業者のネットワーク５としては、公衆無線ＬＡＮ（ＩＥＥＥ８０２．１１）やＷｉＭＡＸ（ＩＥＥＥ８０２．１６）などの無線ブロードバンド、第三の通信事業者のローカルアクセスネットワーク６としては、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）などのローカルアクセスネットワーク、第四の通信事業者のネットワーク８としては、インターネットサービスプロバイダＩＳＰ（Ｉｎｔｅｒｎｅｔ  Ｓｅｒｖｉｃｅ  Ｐｒｏｖｉｄｅｒ）などを用いる。
【００３０】
第一の通信事業者は、第一の通信事業者の無線通信基地局２と、第一の通信事業者の無線ネットワーク制御装置１２と、第一の通信事業者のコアネットワーク３と、第一の通信事業者のゲートウェイ９とを管理する。
第二の通信事業者は、第二の通信事業者の無線通信基地局４と、第二の通信事業者のネットワーク５と、第二の通信事業者のゲートウェイ１０とを管理する。
第三の通信事業者は、第三の通信事業者のローカルアクセスネットワーク６と、第四の通信事業者のネットワーク８と、第四の通信事業者のゲートウェイ１１とを管理する。
【００３１】
端末管理センター２０は、端末管理センターサーバ２０１、端末管理センター制御装置２０２、端末試験評価自動測定解析システム２０３、修理・調整および試験・評価用無線通信端末２０４（図２では修理・調整  試験・評価用無線通信端末）から構成される。端末管理センター制御装置２０２は端末試験評価自動測定解析システム２０３を制御する。
【００３２】
端末管理センター２０は、無線通信端末１の試験・評価、無線通信端末１のログ採取・解析、無線通信端末１の保守管理、無線通信端末１の修理支援、無線通信端末１のハードウェア・ファームウェア・ソフトウェアの管理、および、無線通信端末１のプログラムおよびデータのダウンロードおよびアップロードの運用などの機能を備える。
【００３３】
端末管理センター２０の端末管理センターサーバ２０１は、無線通信端末１の開発・製造者が遠隔制御できる無線通信端末開発製造者のリモート制御端末３０と各通信事業者のゲートウェイ（第一の通信事業者のゲートウェイ９、第二の通信事業者のゲートウェイ１０、第四の通信事業者のゲートウェイ１１）に接続される。
【００３４】
端末管理センター２０の端末管理センターサーバ２０１に接続されている端末管理センター制御装置２０２は、端末試験評価自動測定解析システム２０３と修理・調整試験・評価用無線通信端末２０４を制御し、無線適合試験、通信プロトコル適合試験及び予備インターオペラビリティ試験などを自動試験で行う。
【００３５】
図１に戻り、本実施形態の無線通信端末１について説明する。
無線通信端末１の通信機能は、第一の無線通信手段１０３、第二の無線通信手段１０５、外部インタフェースを経由する通信手段１０７、ＧＰＳ（Ｇｌｏｂａｌ  Ｐｏｓｉｔｉｏｎｉｎｇ  Ｓｙｓｔｅｍ）受信手段１０９、第一の無線通信手段１０３を専用に通信処理する第一の通信処理専用ＣＰＵ１１１、第二の無線通信手段１０５を専用に通信処理または外部インタフェースを経由する通信手段１０７を専用に通信処理する第二の通信処理または第三の通信処理専用ＣＰＵ１１３、外部インタフェース１０１、内蔵メモリ１１５、汎用ＣＰＵ１１９及び内蔵補助メモリ１１７により構成される。
【００３６】
本実施形態を実現させる為に無線通信端末１が具備する機能は、ハードウェア故障検出１００１、ハードウェア故障診断１００３、アナログ回路経年変化検出１００５、アナログ回路経年変化診断１００７、無線特性測定１００９、無線特性解析診断１０１１、通信プロトコル異常検出１０１３、通信プロトコル解析診断１０１５、ソフトウェア動作異常検出１０１７、ソフトウェア動作解析診断１０１９、各種検出データ格納メモリ１０２１、無線特性測定データ格納メモリ１０２３、各種診断プログラム格納メモリ１０２５、各種診断結果格納メモリ１０２７、端末管理データ格納メモリ１０２９、ログ採取フィルタ格納メモリ１０３１、ログ採取プログラム格納メモリ１０３３、採取ログバッファメモリ１０３５、採取ログメモリ転送１０３７、採取ログ格納メモリ１０３９、オンラインログ解析プログラム格納メモリ１０４１、オフラインログ解析プログラム格納メモリ１０４３及びログ解析結果格納メモリ１０４５により構成される。
【００３７】
無線通信端末１は、第一の無線通信手段１０３とは別に、第二の無線通信手段１０５を備える。第一の無線通信手段１０３は、第一の通信事業者のコアネットワーク３へのアクセス手段となる。一方、第二の無線通信手段１０５は、第二の通信事業者のネットワーク５および第三の通信事業者のローカルアクセスネットワーク６へのアクセス手段となる。したがって、無線通信端末１は、第一の通信事業者のコアネットワーク３及び第二の通信事業者のネットワーク５または第三の通信事業者のローカルアクセスネットワーク６へのアクセスを同時に行うことができる。
【００３８】
また、無線通信端末１は、第一の通信処理専用ＣＰＵ１１１とは別に、第二の通信処理または第三の通信処理専用ＣＰＵ１１３を備える。第一の無線通信手段１０３は、第一の通信処理専用ＣＰＵ１１１に接続し、第二の無線通信手段１０５は第二の通信処理または第三の通信処理専用ＣＰＵ１１３に接続する。したがって、第二の無線通信手段１０５により第二の通信事業者のネットワーク５や第三の通信事業者のローカルアクセスネットワーク６にアクセスし、第一の無線通信手段１０３を用いた通信に影響を与えない様に、プログラムおよびデータのダウンロードおよびアップロードすることができる。そして、第二の通信事業者と第三の通信事業者の中で、安定した通信品質かつ安価な通信費のネットワークへのアクセスを動的に選択して行う。
【００３９】
第一の通信事業者のコアネットワーク３へのアクセスのみが可能な場合は、プログラム及びデータのダウンロード並びにアップロードは、第一の無線通信手段１０３を用いて通信を行う。このとき、無線通信端末１の他の通信に影響を与えない様に、通信制限をかけてプログラム及びデータのダウンロード並びにアップロードを行う。
【００４０】
つづいて、本実施形態のプログラムについて説明する。
ハードウェア故障診断プログラムは、無線通信端末１のハードウェアの故障を診断するためのプログラムである。ハードウェア故障診断プログラムは、端末管理センターサーバ２０１からダウンロードされ、各種診断プログラム格納メモリ１０２５に格納される。
【００４１】
無線通信端末１は、出荷時からハードウェア故障検出１００１がハードウェアの故障を検出すると、ハードウェア故障検出データを作成して、各種検出データ格納メモリ１０２１に格納する。ハードウェア故障診断１００３は、ハードウェア故障診断プログラムを実行して、ハードウェア故障検出データを診断し、診断結果を作成して各種診断結果格納メモリ１０２７に格納する。
【００４２】
ハードウェア故障検出１００１は、無線通信端末１のハードウェアを部品または機能単位で複数に分割し、各部品または機能単位に、故障を示す機能を具備する。出荷時から、所定周期で、各部品または機能単位に故障状況を検出し、無線通信端末１が具備する時刻機能によりタイムスタンプをつけて、各種検出データ格納メモリ１０２１に含まれるハードウェア故障検出データ格納メモリに格納する。ハードウェア故障診断１００３は、無線通信端末１の無線通信機能を構成する部品または機能に関して、時系列的に故障状況を調査し、故障の検出がなければ、診断結果を合格とする。
【００４３】
また、アナログ回路経年変化診断プログラムは、無線通信端末１のアナログ回路の経時変化を診断するためのプログラムである。アナログ回路経年変化診断プログラムは、端末管理センターサーバ２０１からダウンロードされ、各種診断プログラム格納メモリ１０２５に格納される。
【００４４】
アナログ回路経年変化検出１００５は、無線通信端末１の無線特性に影響を与えるアナログ回路に関して、経年変化特性のある部品または機能単位で、経年変化を示す機能を具備する。出荷時から、所定周期で、各部品または機能単位の経年変化状況を検出し、無線通信端末１が具備する時刻機能によりタイムスタンプをつけて、各種検出データ格納メモリ１０２１に含まれるアナログ回路経年変化検出データ格納メモリに格納する。
アナログ回路経年変化診断１００７は、各部品または機能に関して、時系列的に経年変化状況を調査し、経年変化が所定値以内であれば、診断結果を合格とする。
【００４５】
無線通信端末１は、出荷時からハードウェア故障検出１００１がハードウェアの故障を検出すると、アナログ回路経年変化検出データを作成して、各種検出データ格納メモリ１０２１に格納する。アナログ回路経年変化診断１００７は、アナログ回路経年変化診断プログラムを実行して、アナログ回路経年変化検出データを診断し、診断結果を作成して各種診断結果格納メモリ１０２７に格納する。
【００４６】
また、無線特性解析診断プログラムは、無線通信端末１の無線特性を診断するためのプログラムである。無線特性解析診断プログラムは、端末管理センターサーバ２０１からダウンロードされ、各種診断プログラム格納メモリ１０２５に格納される。      
【００４７】
無線特性測定１００９は、通信中、無線特性を測定し、測定結果を無線特性測定データとして作成して、無線特性測定データ格納メモリ１０２３に格納する。無線特性解析診断１０１１は、無線特性解析診断プログラムを実行して、無線特性測定データを診断し、診断結果を作成して各種診断結果格納メモリ１０２７に格納する。
【００４８】
また、通信プロトコル解析診断プログラムは、無線通信端末１の通信プロトコルの異常を診断するためのプログラムである。通信プロトコル解析診断プログラムは、端末管理センターサーバ２０１からダウンロードされ、各種診断プログラム格納メモリ１０２５に格納される。
【００４９】
通信プロトコル異常検出１０１３は、通信中に動作し、通信プロトコルの動作の異常があればこれを検出し、通信プロトコル異常検出データを作成し、各種診断結果格納メモリ１０２７に格納する。通信プロトコル異常検出１０１３は、通信プロトコル解析診断プログラムを実行して、通信プロトコル異常検出データを診断し、診断結果を作成して各種診断結果格納メモリ１０２７に格納する。
【００５０】
また、オンラインログ解析プログラムは、オンラインで無線通信端末１のログを解析するためのプログラムである。オンラインログ解析プログラムは、端末管理センターサーバ２０１からログ採取フィルタデータとともにダウンロードされ、ログ採取フィルタデータはログ採取フィルタ格納メモリ１０３１に格納され、オンラインログ解析プログラムは採取ログ格納メモリ１０３９に格納される。ログ採取フィルタデータには、ログの採取条件が設定されている。
【００５１】
無線通信端末１は、通信中、ログ採取フィルタデータの設定条件によりログを採取する。採取されたログは、採取ログバッファメモリ１０３５に格納される。また、ログ採取時、ＧＰＳ受信手段１０９は位置情報を取得し、汎用ＣＰＵ１１９に格納する。採取されたログと位置情報を対応付けて採取ログデータが作成され、採取ログ格納メモリ１０３９に格納される。採取ログデータは、オンラインログ解析プログラムを実行することによって解析され、解析結果はログ解析結果格納メモリ１０４５に格納される。
【００５２】
また、オフラインログ解析プログラムは、通信中の所定期間及びログ採取フィルタデータの設定条件により採取されたログを解析する。オフラインログ解析プログラムは、端末管理センターサーバ２０１からログ採取フィルタデータ及びオンラインログ解析プログラムとともにダウンロードされ、オフラインログ解析プログラム格納メモリ１０４３に格納される。
【００５３】
無線通信端末１は、通信中の所定期間及びログ採取フィルタデータの設定条件によりログを採取する。採取されたログは、採取ログバッファメモリ１０３５に格納される。また、ログ採取時、ＧＰＳ受信手段１０９は位置情報を取得し、汎用ＣＰＵ１１９に格納する。採取されたログと位置情報とを対応付けて採取ログデータが作成され、採取ログ格納メモリ１０３９に格納される。採取ログデータは、オフラインログ解析プログラムを実行することによって解析され、解析結果はログ解析結果格納メモリ１０４５に格納される。
【００５４】
また、ソフトウェア動作解析診断プログラムは、通信中の所定期間及びログ採取フィルタデータの設定条件により採取されたログを解析する。オフラインログ解析プログラムは、端末管理センターサーバ２０１からダウンロードされ、各種診断プログラム格納メモリ１０２５に格納される。
【００５５】
無線通信端末１は、通信中の所定期間、ソフトウェア動作異常検出１０１７が、ソフトウェアの動作の異常を検出すると、ＧＰＳ受信手段１０９が受信した位置情報と対応づけてソフトウェア動作異常データを生成し、各種診断結果メモリ１０２７に格納する。ソフトウェア動作解析診断１０１９は、ソフトウェア動作解析診断プログラムを実行し、ソフトウェア動作異常データを処理し、ソフトウェア動作解析診断を行う。診断結果は各種診断結果格納メモリ１０２７に格納される。
【００５６】
なお、本実施形態では、ソフトウェア無線技術の適応は、第一の無線通信手段１０３を対象に記載してあるが、第二の無線通信手段１０５でも、ソフトウェア無線技術の適応は可能である。
【００５７】
ソフトウェア無線技術を適応した無線通信端末１の使用者は、通信事業者または無線通信端末の開発・製造者へ新しい無線通信方式に対応するソフトウェア無線のファームウェアの書き換えを要求することができる。この要求は、各通信事業者のネットワークを介し、無線通信端末１及び端末管理センター２０によって以下のステップ１からステップ８の動作が順番に実施されることにより実現される。
【００５８】
図３は、ステップ１の動作を示すフローチャートである。ステップ１では、無線通信端末１のハードウェア故障を検出し、ハードウェア故障を診断する。
【００５９】
無線通信端末１は、端末管理センターサーバ２０１にハードウェア故障診断プログラムを要求し（Ｓ１０１）、端末管理センターサーバ２０１は、要求を受け付け（Ｓ１０３）、無線通信端末１にハードウェア故障診断プログラムを送信する（Ｓ１０５）。無線通信端末１は、端末管理センターサーバ２０１からハードウェア故障診断プログラムを受け付け（ダウンロード）し（Ｓ１０７）、各種診断プログラム格納メモリ１０２５に格納する（Ｓ１０９）。各種検出データ格納メモリ１０２１には無線通信端末１の出荷時からハードウェア故障検出データが蓄積されている。無線通信端末１は、ハードウェア故障診断プログラムを用いて、このハードウェア故障検出データを処理し、ハードウェア故障診断を行う（Ｓ１１１）。得られたハードウェア故障診断結果を各種診断結果格納メモリ１０２７に格納した後（Ｓ１１３）、ハードウェア故障検出データと一緒に、端末管理センターサーバ２０１へ送信（アップロード）する（Ｓ１１５）。ハードウェア故障診断結果が合格の場合（Ｓ１１９のＹ）は、ステップ２へ進む。診断結果が不合格の場合（Ｓ１１９のＮ）は、無線適合試験に合格しないと推定されるので、端末管理センターサーバ２０１から、端末管理センター２０における修理又は調整が必要であることを通知する不合格通知を無線通信端末１へ送信する（Ｓ１２１）。無線通信端末１は不合格通知を受け付ける（Ｓ１２３）。
【００６０】
無線通信端末１の使用者は、無線通信端末を端末管理センター２０へ送付し、端末管理センター２０は、端末管理センターサーバ２０１からハードウェア故障診断結果とハードウェア故障検出データを参照して、修理又は調整を行い、端末試験評価自動測定解析システム２０３を用いて、無線適合試験に合格するまで調整する。
【００６１】
図４は、ステップ２の動作を示すフローチャートである。
ステップ２は、アナログ回路経年変化を検出し、アナログ回路経年変化診断を行う。端末管理センターサーバ２０１は、新しい無線通信規格用のアナログ回路経年変化診断プログラムを送信し（Ｓ２０１）、無線通信端末１はこれを受け付け（ダウンロードして）（Ｓ２０３）、各種診断プログラム格納メモリ１０２５に格納する（Ｓ２０５）。各種検出データ格納メモリ１０２１には、無線通信端末１の出荷時からアナログ回路経年変化検出データが蓄積されている。アナログ回路経年変化診断プログラムを用いて、このアナログ回路経年変化検出データを処理し、アナログ回路経年変化診断を行う（Ｓ２０７、図４では、「アナログ回路経年変化診断」が、「アナログ回路変化診断」と記載されている）。アナログ回路経年変化診断結果を各種診断結果格納メモリ１０２７に格納（Ｓ２０９）した後、アナログ回路経年変化検出データと一緒に、端末管理センターサーバ２０１へ送信（アップロード）する（Ｓ２１１）。端末管理センターサーバ２０１はアナログ回路経年変化検出データ及び診断結果を受信し、診断結果が合格の場合（Ｓ２１５のＹ）は、ステップ３へ進む。診断結果が不合格の場合（Ｓ２１５のＮ）は、無線適合試験に合格しない可能性があると推定されるので、端末管理センターサーバ２０１から、端末管理センター２０における修理又は調整が必要であることを通知する不合格通知を無線通信端末１へ送信する（Ｓ２１７）。無線通信端末１は、不合格通知を受信する（Ｓ２１９）。
【００６２】
無線通信端末１の使用者は、無線通信端末１を端末管理センター２０へ送付し、端末管理センター２０は、端末管理センターサーバ２０１からアナログ回路経年変化診断結果とアナログ回路経年変化検出データを参照して、修理又は調整を行い、端末試験評価自動測定解析システム２０３を用いて、無線適合試験に合格するまで調整する。
【００６３】
図５は、ステップ３の動作を示すフローチャートである。
ステップ３は、無線特性を測定し、無線特性の解析診断を行う。無線通信端末１がハードウェア故障診断とアナログ回路経年変化診断に合格したので、端末管理センターサーバ２０１は、新しい無線通信規格用のソフトウェア無線のファームウェアを無線通信端末１に送信し（Ｓ３０１）、無線通信端末１はこのファームウェアを受け付け（ダウンロード）して、第一の無線通信手段１０３に実装する（Ｓ３０３）。ソフトウェア無線のファームウェア試験通信用に専用チャンネルが割り当てられている。無線通信端末１は、この専用チャンネルを用い、第一の通信事業者の無線通信基地局２と試験通信を開始し（Ｓ３０５）、無線特性測定１００９を用いて、無線特性を測定する。得られた無線特性の測定結果は無線特性測定データ格納メモリ１０２３に格納される（Ｓ３０７）。この際、ＧＰＳ受信手段１０９により位置情報を取得し、無線特性の測定結果に位置情報が対応付けられて格納される。無線通信端末１は、端末管理センターサーバ２０１に、新しい無線通信規格用の無線特性解析診断プログラムを要求し（Ｓ３０９）、端末管理センターサーバ２０１は、要求を受け付け（Ｓ３１１）、これを送信する（Ｓ３１３）。無線通信端末１は、無線特性解析診断プログラムを受け付け（ダウンロードして）、各種診断プログラム格納メモリ１０２５に格納する（Ｓ３１５）。無線特性解析診断プログラムにより、無線特性測定データ格納メモリ１０２３に格納された無線特性測定データを処理し、無線特性解析診断を行う（Ｓ３１７）。無線特性解析診断結果を各種診断結果格納メモリ１０２７に格納後、無線特性測定データと一緒に端末管理センターサーバ２０１へ送信（アップロード）する（Ｓ３１９）。無線特性解析診断結果が合格の場合（Ｓ３２１のＹ）は、ステップ４へ進む。診断結果が不合格の場合（Ｓ３２１のＮ）は、無線特性が基準値を満たさないので、端末管理センターサーバ２０１から、端末管理センター２０における調整が必要な通知（不合格通知）を無線通信端末１へ送信する（Ｓ３２３）。無線通信端末１は、不合格通知を受信する（Ｓ３２５）。
【００６４】
不合格通知を受けた無線通信端末１の使用者は、無線通信端末を端末管理センターへ送付する。端末管理センター２０は、端末管理センターサーバ２０１から無線特性解析診断結果と無線特性測定データを参照し、端末試験評価自動測定解析システム２０３を用いて、無線適合試験に合格するまで調整する。
【００６５】
図６は、ステップ４の動作を示すフローチャートである。
ステップ４は、通信プロトコル異常を検出し、通信プロトコル解析診断を行う。  
端末管理センターサーバ２０１は、新しい無線通信規格用の通信プロトコル解析診断プログラムを送信する（Ｓ４０１）。無線端末装置１は、通信プロトコル解析診断プログラムを受け付け（ダウンロードして）（Ｓ４０３）、各種診断プログラム格納メモリ１０２５に格納する。ステップ３と同様に、ソフトウェア無線のファームウェア試験通信用に割り当てられた専用チャンネルを用いて、第一の通信事業者の無線通信基地局２と試験通信を行う（Ｓ４０５）。無線通信端末１は、試験通信中、無線通信端末１が備える通信プロトコル異常検出１０１３を動作させ、通信プロトコルの動作の異常を検出した場合（Ｓ４０７のＹ）は、通信プロトコル異常検出データを各種検出データ格納メモリ１０２１に格納する（Ｓ４０９、図６では、「通信プロトコル異常検出データ」が「通信異常データ」と記載されている）。また、ＧＰＳ受信手段１０９を用いて、位置情報を取得し、通信プロトコル異常検出データに位置情報をリンクする。通信プロトコル解析診断プログラムにより、各種検出データ格納メモリ１０２１に格納された通信プロトコル異常検出データを処理し、通信プロトコル解析診断を行う（Ｓ４１１、図６では、「通信プロトコル異常検出データ」が「通信異常データ」と記載されている）。通信プロトコル解析診断結果を各種診断結果格納メモリ１０２７に格納後、通信プロトコル異常検出データと一緒に、端末管理センターサーバ２０１へ送信（アップロード）する（Ｓ４１３）。診断結果が合格の場合（Ｓ４１５のＹ）は、ステップ５へ進む。診断結果が不合格の場合（Ｓ４１５のＮ）は、端末管理センターサーバ２０１は、新しい無線通信規格用のログ採取フィルタデータ、オンラインログ解析プログラム及びオフラインログ解析プログラムを送信し（Ｓ４１７）、無線通信端末１はこれを受け付け（ダウンロードして）（Ｓ４１９）、格納し、ステップ６に進む。ログ採取フィルタデータはログ採取フィルタ格納メモリ１０３１に、オンラインログ解析プログラムはオンラインログ解析プログラム格納メモリ１０４１に、オフラインログ解析プログラムはオフラインログ解析プログラム格納メモリ１０４３にそれぞれ格納される。
【００６６】
図７は、ステップ６の動作を示すフローチャートである。
ステップ６では、ステップ３と同様に、ソフトウェア無線のファームウェア試験通信用に割り当てられた専用チャンネルを用いて、第一の通信事業者の無線通信基地局２と試験通信を行う（Ｓ６０１）。無線通信端末１は、試験通信中、ログ採取フィルタデータの設定条件によりログを採取する（Ｓ６０３）。採取されたログは採取ログバッファメモリ１０３５経由で、採取ログ格納メモリ１０３９に格納され（Ｓ６０５）、オンラインログ解析プログラムによりオンラインログ解析を行う（Ｓ６０７）。ログ採取時、ＧＰＳ受信手段１０９を用いて位置情報を取得し、採取されたログは位置情報と対応づけて採取ログデータとして格納される。ログ解析結果をログ解析結果格納メモリ１０４５に格納後、採取ログデータと一緒に、端末管理センターサーバ２０１へ送信（アップロード）する（Ｓ６０９）。
【００６７】
内蔵メモリ１１５に割り当てられた採取ログ格納メモリ１０３９の容量が不足した場合は、採取ログメモリ転送１０３７を用いて、内蔵補助メモリ１１７または外付メモリ１２１に採取ログデータを転送して、採取ログデータを格納する。オンラインログ解析は、ＣＰＵのリソースを必要とするので、第二の通信処理または第三の通信処理専用ＣＰＵ１１３、または、汎用ＣＰＵ１１９が用いられるが、これらのＣＰＵのリソースに余裕がなくなった場合には、動的に、オフラインログ解析に切り替える。オフラインログ解析は、オフラインログ解析プログラムを用い、採取ログ格納メモリ１０３９に格納された採取ログを読み出すことによって行われる。
【００６８】
ログ解析結果が合格の場合（Ｓ６１１のＹ）は、ステップ５へ進む。ログ解析結果が不合格の場合（Ｓ６１１のＮ）は、ソフトウェア無線のファームウェアに不具合が含まれている可能性があるので、端末管理センター２０は、端末管理センター２０における試験が必要であることを通知する通知（不合格通知）を無線通信端末１へ送信し（Ｓ６１３）、無線通信端末１は不合格通知を受信する（Ｓ６１５）。
【００６９】
不合格通知を受けた無線通信端末１の使用者は、無線通信端末１を端末管理センター２０へ送付する。端末管理センターサーバ２０１からログ解析結果と採取ログデータを参照して、端末管理センター制御装置２０２で制御される端末試験評価自動測定解析システム２０３を用いて、通信プロトコル適合試験及び予備インターオペラビリティ試験を実施する。これらの試験が合格の場合は、ステップ５へ進む。試験が不合格の場合は、無線通信端末１の固有の不具合なのか、ソフトウェア無線のファームウェアに不具合が含まれているのか判断する為に、端末試験評価自動測定解析システム２０３は、通信プロトコル適合試験及び予備インターオペラビリティ試験時に採取したログを解析する。ログ解析結果が無線通信端末１の固有の不具合の判定の場合は、無線通信端末１の不具合を修正する。
【００７０】
ログ解析結果がソフトウェア無線のファームウェアの不具合の判定または判定不能の場合は、端末管理センターサーバ２０１から、判定結果の通知および端末試験評価自動測定解析システム２０３が採取したログを無線通信端末の開発・製造者へ送信する。無線通信端末１の開発・製造者は、端末試験評価自動測定解析システム２０３が採取したログを参照して、ソフトウェア無線のファームウェアの不具合を原因究明する為の試験を実施し、問題解決に努める。無線通信端末１の開発・製造者は、ファームウェアの不具合を原因究明できた場合は、修正したファームウェアを、端末管理センターサーバ２０１へアップロードし、ファームウェアを更新する。端末管理センターサーバ２０１から、ファームウェアの更新の通知を無線通信端末１の使用者に送付する。無線通信端末１の使用者が、ファームウェアの自動更新の設定の場合は、自動で、ファームウェアの手動更新の設定の場合は、手動でファームウェアの更新を行う。ファームウェアの不具合を原因究明できなかった場合、無線通信端末１の開発・製造者は、端末管理センターサーバ２０１へ判定結果の通知を送信する。
【００７１】
無線通信端末１の動作状態と時刻はリンクしている。ＧＰＳ受信手段１０９は、位置情報を含むＧＰＳ受信信号から時刻情報も取得することができる。ＧＰＳからの時刻情報に無線通信端末１の時刻を合わせることで、ＧＰＳからの位置情報と無線通信端末１の動作状態がリンクする。
【００７２】
オンラインログ解析プログラム及びオフラインログ解析プログラムの機能の中には、診断機能を含めている。通信プロトコル解析診断、オンラインログ解析及びオフラインログ解析は、ダウンロードした各プログラムの中に基準となるプロトコルの各種シーケンスを含んでおり、採取したログと比較して、診断を行う。基準となるプロトコルの各種シーケンスは、テキストモードとバイナリコードモードの２種類があり、それらを適材適所に用いる。リアルタイム解析である通信プロトコル解析診断、オンラインログ解析では、解析範囲は限定されるが、ＣＰＵの負荷をそれ程必要としないバイナリコードモードを用い、リアルタイム性の必要がないオフラインログ解析では、詳細解析が可能なテキストモードを用いる。
【００７３】
図８は、ステップ５の動作を示すフローチャートである。
ステップ５は、ソフトウェア動作異常を検出し、ソフトウェア動作の解析診断を所定期間実施する。本実施形態におけるソフトウェアとは、ソフトウェア無線のファームウェアと通信プロトコルを除いた残りのソフトウェアを意味する。無線通信端末１は、通信プロトコル解析診断に合格したので、通常の通信が可能となる。端末管理センターサーバ２０１は、新しい無線通信規格用のソフトウェア無線のファームウェアを用いる許可証を発行し、無線通信端末１に送信する（Ｓ５０１）。また、端末管理センターサーバ２０１は、新しい無線通信規格用のソフトウェア動作解析診断プログラムを無線通信端末１に送信し、無線通信端末１はこれを受け付け（ダウンロードして）、各種診断プログラム格納メモリ１０２５に格納する（Ｓ５０３）。無線通信端末１は、許可証を端末管理データ格納メモリ１０２９に格納することで、通常の通信が可能になる（Ｓ５０５）。無線通信端末１は、通信中の所定期間、無線通信端末１が備えるソフトウェア動作異常検出１０１７を動作させ、ソフトウェアの動作の異常を検出した場合（Ｓ５０７のＹ）は、ソフトウェア動作異常検出データを各種検出データ格納メモリ１０２１に格納する（Ｓ５０９）。また、ＧＰＳ受信手段１０９を用いて、位置情報を取得し、ソフトウェア動作異常検出データに位置情報をリンクする。端末管理センターサーバ２０１から、新しい無線通信規格用のソフトウェア動作解析診断プログラムを受け付け（ダウンロードして）、各種診断プログラム格納メモリ１０２５に格納する。ソフトウェア動作解析診断プログラムにより、各種検出データ格納メモリ１０２１に格納されているソフトウェア動作異常検出データを処理し、ソフトウェア動作解析診断を行う（Ｓ５１１）。ソフトウェア動作解析診断結果を各種診断結果格納メモリ１０２７に格納後、ソフトウェア動作異常検出データと一緒に、端末管理センターサーバ２０１へ送信（アップロード）する（Ｓ５１３）。診断結果が不合格の場合（Ｓ５１５のＮ）は、ソフトウェアの動作の異常を検出したので、ステップ７に進み、無線通信端末１のソフトウェア動作のログを採取し、ログの解析を行う。
【００７４】
図９は、ステップ７の動作を示すフローチャートである。
ステップ４と同様に、端末管理センターサーバ２０１は、新しい無線通信規格用のログ採取フィルタデータ、オンラインログ解析プログラム及びオフラインログ解析プログラムを送信し（Ｓ７０１）、無線通信端末１はこれを受け付け（ダウンロードして）（Ｓ７０３）、各々、ログ採取フィルタ格納メモリ１０３１、オンラインログ解析プログラム格納メモリ１０４１及びオフラインログ解析プログラム格納メモリ１０４３に格納する。無線通信端末１は、試験通信を開始し（Ｓ７０５）、通信中の所定期間及びログ採取フィルタデータの設定条件により、採取したログを採取ログバッファメモリ１０３５経由で、採取ログ格納メモリ１０３９に格納する（Ｓ７０９）と同時に、オンラインログ解析プログラムを用いて、オンラインログ解析を行う（Ｓ７１１）。ログ採取時、ＧＰＳ受信手段１０９を用いて、位置情報を取得し、採取ログデータに位置情報をリンクする。ログ解析結果をログ解析結果格納メモリ１０４５に格納後、採取ログデータと一緒に、端末管理センターサーバ２０１へ送信（アップロード）する（Ｓ７１５）。解析結果が不合格の場合（Ｓ７１７のＮ）は、無線通信端末１のソフトウェアに不具合が含まれている可能性があるので、端末管理センターサーバ２０１は、ログ解析結果および採取ログデータを無線通信端末の開発・製造者の端末へ送信する（Ｓ７１９）。
【００７５】
無線通信端末１の開発・製造者は、採取ログを参照して、ソフトウェアの不具合を原因究明する為の試験を実施し、問題解決に努める。無線通信端末１の開発・製造者は、ソフトウェアの不具合を原因究明できた場合は、修正したソフトウェアを、端末管理センターサーバ２０１へアップロードし、ソフトウェアを更新する。端末管理センターサーバ２０１から、ソフトウェアの更新の通知を無線通信端末の使用者に送付する。無線通信端末１の使用者が、ソフトウェアの自動更新の設定の場合は、自動で、ソフトウェアの手動更新の設定の場合は、手動で、ソフトウェアの更新を行う。無線通信端末１の開発・製造者は、ソフトウェアの不具合を原因究明できなかった場合は、端末管理センターサーバ２０１へ判定結果の通知を送信する。所定期間の通信後は、ステップ６へ進む。
【００７６】
ステップ８は、無線通信端末１は、ハードウェア故障検出１００１（常時）、アナログ回路経年変化検出１００５（一定周期）、無線特性測定１００９（必要時）、通信プロトコル異常検出１０１３（常時）、および、ソフトウェア動作異常検出１０１７（常時）の機能を動作させ、前ステップと同様に、異常がある場合は、端末管理センター２０から、新しい無線通信規格用の診断プログラムをダウンロードして、診断を行う。診断結果を各種診断結果格納メモリ１０２７に格納後、データと一緒に、端末管理センターサーバ２０１へアップロードし、端末管理センターサーバ２０１は、診断結果とデータを無線通信端末１の開発・製造者へ転送する。診断結果に応じて、前ステップに戻り、前ステップの内容を行う。
【００７７】
ステップ８では、無線通信端末１から、端末管理センターサーバ２０１にアップロードした診断結果とデータは、無線通信端末１の開発・製造者へ転送されるので、無線通信端末１の開発・製造者は、常時、無線通信端末１の品質を監視することが可能となり、フィールドで品質問題が発生した場合には、即座に問題解決を図ることができる。
【００７８】
続いて、本実施形態の効果について説明する。
本実施形態によれば、ネットワークを介して管理サーバと通信し、自身の内部動作に関するプログラムを受け付けることができる。これにより、自身の内部動作を診断し、診断結果を管理サーバに送信することができる。したがって、ネットワークを利用して無線端末の品質管理を行うことが可能となる。
【００７９】
また、本実施形態によれば、第一のネットワークの接続時に第二のネットワークを介して管理サーバと接続することができる。したがって、第一のネットワークの通信に影響を受けないで、プログラムを受付けることができる。また、データ及び診断結果をスムーズに送信することができる。よって、通常の動作を行いつつ、内部動作の良好な品質を確保することができる。
【００８０】
一般的に、ソフトウェア無線技術を適応した無線通信端末は、新しい方式の無線通信規格に確実に対応させる為に、未然防止手法・ロバスト設計である品質工学（タグチメソッド）などの適用が好ましい。本実施形態では、無線通信端末の開発に品質工学などの手法を適用した後に、無線通信システムにおいて、ソフトウェア無線技術を適応した無線通信端末に対して、更に、良好な品質を確保し、フィールドで品質問題が発生しても即座に問題解決を図る。
【００８１】
また、ソフトウェア無線のファームウェアは、ソフトウェア無線のファームウェアと通信プロトコルのソフトウェアの両方を含むものであるが、ソフトウェア無線技術を適応した無線通信端末に対して、良好な品質を確保し、仮に、フィールドで品質問題が発生しても即座に問題解決を図ることができる。
【００８２】
また、第４世代の携帯電話では、ソフトウェア無線技術を適用することが検討されている。ソフトウェア無線技術を適用した無線通信端末を購入すれば、新しい無線通信規格が制定された場合、ソフトウェア無線のファームウェアをエアーダウンロードすることで、新しい無線通信規格に対応・再利用できるので、顧客にとって非常にメリットがあり、販売台数の非常に多い携帯電話に適用すると省資源効果は非常に大きい。本実施形態によれば、ソフトウェア無線技術を適応した無線通信端末に対して、良好な品質を確保し、仮に、フィールドで品質問題が発生しても即座に問題解決を図ることができる。さらに、ソフトウェア無線技術を適応しない無線通信端末でも、本実施形態の構成の一部、または、本実施形態の構成の全てを適用することにより、充分な効果を期待できる。例えば、無線通信端末のフィールド試験、フィールドで発生した問題の早期解決、保守の効率化、修理の効率化などに適用すると大変有効である。
【００８３】
以上、図面を参照して本発明の実施形態について述べたが、これらは本発明の例示であり、上記以外の様々な構成を採用することもできる。
たとえば、図１０は、本発明の無線端末試験システムの変形例を示す。
図１０は、ＩＰ（Ｉｎｔｅｒｎｅｔ  Ｐｒｏｔｏｃｏｌ）をベースとした次世代基幹ネットワークＮＧＮ（Ｎｅｘｔ  Ｇｅｎｅｒａｔｉｏｎ  Ｎｅｔｗｏｒｋ）のネットワークの構成を示す。ＮＧＮでは、ＦＭＣ（Ｆｉｘｅｄ  Ｍｏｂｉｌｅ  Ｃｏｎｖｅｒｇｅｎｃｅ）、すなわち、固定電話７０がメディアコンバータ８０を介して移動体電話と融合・統合化された融合・総合ネットワーク４０となる見込みである。
【００８４】
図１０の融合・統合ネットワーク４０の部分は、固定系ローカルアクセスネットワーク４０１、固定系コアネットワーク、移動系コアネットワーク４０３を個別に記載してあるが、通信事業者のＦＭＣの進捗度により、固定系ローカルアクセスネットワーク４０１と固定系コアネットワーク４０２の融合・統合化、固定系コアネットワーク４０２と移動系コアネットワーク４０３の融合・統合化、および、固定系ローカルアクセスネットワーク４０１と固定系コアネットワーク４０２と移動系コアネットワーク４０３の融合・統合化などが想定される。
【００８５】
図１０のローカル無線通信基地局６０は、フェムトセル（Ｆｅｍｔｏｃｅｌｌ）と呼ばれ、既存の無線通信基地局５０と同じ通信事業者が運用する住宅または法人環境での使用を目的に設計された小さい無線通信基地局である。
【００８６】
ローカル無線通信基地局６０は、既存の無線通信基地局５０と同じ無線通信方式を用いるが、固定系ローカルアクセスネットワーク４０１と固定系コアネットワーク４０２と移動系コアネットワーク４０３が融合・統合化されてない過程において、移動系コアネットワーク４０３より固定系ネットワーク４０２のビットレート当たりの単価が安い場合には、固定系ネットワーク４０２を用いる。
【図面の簡単な説明】
【００８７】
【図１】実施の形態に係る無線端末の構成の一例を示す図である。
【図２】実施の形態に係る無線端末試験システムの構成の一例を示す図である。
【図３】実施の形態に係る無線端末試験システムの動作の一例を示すフローチャートである。
【図４】実施の形態に係る無線端末試験システムの動作の一例を示すフローチャートである。
【図５】実施の形態に係る無線端末試験システムの動作の一例を示すフローチャートである。
【図６】実施の形態に係る無線端末試験システムの動作の一例を示すフローチャートである。
【図７】実施の形態に係る無線端末試験システムの動作の一例を示すフローチャートである。
【図８】実施の形態に係る無線端末試験システムの動作の一例を示すフローチャートである。
【図９】実施の形態に係る無線端末試験システムの動作の一例を示すフローチャートである。
【図１０】本発明の無線端末試験システムの変形例を示す。
【符号の説明】
【００８８】
１  無線通信端末
２  第一の通信事業者の無線通信基地局
３  第一の通信事業者のコアネットワーク
４  第二の通信事業者の無線通信基地局
５  第二の通信事業者のネットワーク
６  第三の通信事業者のローカルアクセスネットワーク
７  メディアコンバータ
８  第四の通信事業者のネットワーク
９  第一の通信事業者のゲートウェイ
１０  第二の通信事業者のゲートウェイ
１１  第四の通信事業者のゲートウェイ
１２  第一の通信事業者の無線ネットワーク制御装置
２０  端末管理センター
３０  無線通信端末開発製造者のリモート制御端末
４０  融合・統合ネットワーク
５０  無線通信基地局
６０  ローカル無線通信基地局
７０  固定電話
８０  メディアコンバータ
１０１  外部インタフェース  
１０３  第一の無線通信手段
１０５  第二の無線通信手段
１０７  外部インタフェースを経由する通信手段
１０９  ＧＰＳ受信手段
１１１  第一の通信処理専用ＣＰＵ
１１３  第二の通信処理または第三の通信処理専用ＣＰＵ
１１５  内蔵メモリ
１１７  内蔵補助メモリ
１１９  汎用ＣＰＵ
１２１  外付メモリ
２０１  端末管理センターサーバ
２０２  端末管理センター制御装置
２０３  端末試験評価自動測定解析システム
２０４  修理・調整および試験・評価用無線通信端末
４０１  固定系ローカルアクセスネットワーク
４０２  固定系コアネットワーク
４０３  移動系コアネットワーク
１００１  ハードウェア故障検出
１００３  ハードウェア故障診断
１００５  アナログ回路経年変化検出
１００７  アナログ回路経年変化診断
１００９  無線特性測定
１０１１  無線特性解析診断
１０１３  通信プロトコル異常検出
１０１５  通信プロトコル解析診断
１０１７  ソフトウェア動作異常検出
１０１９  ソフトウェア動作解析診断
１０２１  各種検出データ格納メモリ
１０２３  無線特性測定データ格納メモリ
１０２５  各種診断プログラム格納メモリ
１０２７  各種診断結果格納メモリ
１０２９  端末管理データ格納メモリ
１０３１  ログ採取フィルタ格納メモリ
１０３３  ログ採取プログラム格納メモリ
１０３５  採取ログバッファメモリ
１０３７  採取ログメモリ転送
１０３９  採取ログ格納メモリ
１０４１  オンラインログ解析プログラム格納メモリ
１０４３  オフラインログ解析プログラム格納メモリ
１０４５  ログ解析結果格納メモリ
【図１】
2009017049.tif 000003
【図２】
2009017049.tif 000004
【図３】
2009017049.tif 000005
【図４】
2009017049.tif 000006
【図５】
2009017049.tif 000007
【図６】
2009017049.tif 000008
【図７】
2009017049.tif 000009
【図８】
2009017049.tif 000010
【図９】
2009017049.tif 000011
【図１０】
2009017049.tif 000012